(57)【要約】  コンテンツのコピーライトを適切に表示する。表示情報管理サーバ（１０）において、表示情報管理サーバ制御部（１４）が、表示装置（６０）に出力するカード（１００）を１又は複数選択し、選択した各カードが示すコンテンツのコピーライトに関する文字列を特定し、特定した文字列に関連する文字列をコピーライト文字列記憶部（１８）から抽出し、抽出した文字列を含むコピーライト情報を表示装置に出力する。
2017179276.tif 000002
【特許請求の範囲】
【請求項１】
制御部と、通信部と、を備えるサーバであって、
上記制御部は、
端末に出力する表示用オブジェクトを１又は複数選択し、
選択した各表示用オブジェクトが示すコンテンツのコピーライトに関する文字列を特定し、
上記特定した文字列に関連する文字列をデータベースから抽出し、
上記抽出した文字列を含むコピーライト情報を上記端末に出力する、
ことを特徴とするサーバ。
【請求項２】
上記制御部は、
上記コピーライト情報と共に、上記表示用オブジェクトを上記端末に出力する、
ことを特徴とする請求項１に記載のサーバ。
【請求項３】
上記制御部は、
提供可能なコンテンツを特定し、
特定した提供可能なコンテンツのコピーライトに関する文字列を特定する、
ことを特徴とする請求項１又は２に記載のサーバ。
【請求項４】
上記制御部は、
上記特定した文字列の表記ゆれを含む文字列を上記データベースから抽出する、
ことを特徴とする請求項１又は２に記載のサーバ。
【請求項５】
端末に出力する表示用オブジェクトを１又は複数選択する表示用オブジェクト選択ステップと、
選択した各表示用オブジェクトが示すコンテンツのコピーライトに関する文字列を特定する文字列特定ステップと、
上記特定した文字列に関連する文字列をデータベースから抽出する文字列抽出ステップと、
上記抽出した文字列を含むコピーライト情報を上記端末に出力するコピーライト情報出力ステップと、
を含むことを特徴とする出力方法。
【請求項６】
制御部と、通信部と、を備えるサーバとしてコンピュータを機能させるためのプログラムであって、上記制御部に、
端末に出力する表示用オブジェクトを１又は複数選択する処理と、
選択した各表示用オブジェクトが示すコンテンツのコピーライトに関する文字列を特定する処理と、
上記特定した文字列に関連する文字列をデータベースから抽出する処理と、
上記通信部を介して、上記抽出した文字列を含むコピーライト情報を上記端末に出力する処理と、
を実行させることを特徴とするプログラム。
【請求項７】
表示装置と、サーバと、を備える表示システムであって、
上記サーバは、サーバ制御部と、サーバ通信部とを備え、
上記サーバ制御部は、
上記表示装置から、上記サーバ通信部を介して、表示用オブジェクトの出力の要求を受け付け、
上記表示装置に出力する表示用オブジェクトを１又は複数選択し、
選択した１又は複数の表示用オブジェクトを、上記サーバ通信部を介して上記表示装置に出力し、
上記表示装置から、上記サーバ通信部を介して、コピーライト情報の出力の要求を受け付け、
選択した各表示用オブジェクトが示すコンテンツのコピーライトに関する文字列を特定し、
上記特定した文字列に関連する文字列をデータベースから抽出し、
上記抽出した文字列を含むコピーライト情報を上記表示装置に出力し、
上記表示装置は、表示装置制御部と、表示装置通信部と、表示部とを備え、
上記表示装置制御部は、
上記表示装置通信部を介して、上記サーバに対して表示用オブジェクトの出力を要求し、
上記表示装置通信部を介して、上記サーバから、表示用オブジェクトを取得し、
上記表示装置通信部を介して、上記サーバに対して、コピーライト情報を要求し、
上記表示装置通信部を介して、上記コピーライト情報を取得し、
取得した上記コピーライト情報を含む画像を表示部に表示する、
ことを特徴とする表示システム。
【発明の詳細な説明】
【技術分野】
【０００１】
本発明は、サーバ、出力方法、プログラム、および、表示システムに関する。
【背景技術】
【０００２】
コンテンツを提供する場合、コンテンツのコピーライト（著作権）に関する情報であるコピーライト情報をコンテンツとともに表示しなければならない。そのため、コンテンツのコピーライト情報を表示される技術が開示されている。例えば、特許文献１には、コンテンツの著作権管理規格を、コンテンツの一覧における各コンテンツにそれぞれ対応させて表示するコンテンツ処理装置が開示されている。
【先行技術文献】
【特許文献】
【０００３】
【特許文献１】日本国公開特許公報「特開２００７−２５７７６６号公報（２００７年１０月４日公開）」
【発明の概要】
【発明が解決しようとする課題】
【０００４】
ところで、コピーライト情報の表示に関しては、様々なニーズがある。最近では、コンテンツ自体にコピーライト情報が含まれている場合も多いが、従前のコンテンツでは、コンテンツ自体にコピーライト情報が含まれていないため、コンテンツとは別にコピーライト情報を表示して欲しいという要望がある。【０００５】
また、コンテンツ自体にコピーライト情報が含まれている場合であっても、コピーライト情報が変更することがあるので、コンテンツとは別にコピーライト情報を表示してほしいという要望がある。さらに、コピーライト情報を表示するタイミングについても、コンテンツを再生するときに表示して欲しいという要望もあれば、コンテンツが終了する直前に表示して欲しいという要望もある。特許文献１の技術では、これらの様々な要望に応えることができないという問題がある。【０００６】
これらの問題を解決するため、インターネットのサイト上に、保持しているコンテンツ全てのコピーライト情報を公開するコンテンツ配信業者も存在している。しかしながら、コンテンツ配信業者が所有するコンテンツ全てのコピーライト情報は多すぎるため、解像度が限られた表示装置（例えば、テレビジョン受像機、スマートフォンなど）にコピーライト情報を表示させた場合、文字が小さくて見えないという問題が発生してしまう。また、処理性能が限られた端末(例えば、テレビジョン受像機など)では、表示に非常に時間がかかる、または表示のためのメモリを持ち得ないため正しく表示できない問題が発生してしまう。【０００７】
本発明は、前記の問題点に鑑みてなされたものであり、その目的は、コンテンツのコピーライトに関する情報を適切に提供する技術を提供することにある。
【課題を解決するための手段】
【０００８】
上記の課題を解決するために、本発明の一態様に係るサーバは、制御部と、通信部と、を備えるサーバであって、上記制御部が、端末に出力する表示用オブジェクトを１又は複数選択し、選択した各表示用オブジェクトが示すコンテンツのコピーライトに関する文字列を特定し、上記特定した文字列に関連する文字列をデータベースから抽出し、上記抽出した文字列を含むコピーライト情報を上記端末に出力する。【０００９】
上記の課題を解決するために、本発明の一態様に係る出力方法は、端末に出力する表示用オブジェクトを１又は複数選択する表示用オブジェクト選択ステップと、選択した各表示用オブジェクトが示すコンテンツのコピーライトに関する文字列を特定する文字列特定ステップと、上記特定した文字列に関連する文字列をデータベースから抽出する文字列抽出ステップと、上記抽出した文字列を含むコピーライト情報を上記端末に出力するコピーライト情報出力ステップと、を含む。【００１０】
上記の課題を解決するために、本発明の一態様に係るプログラムは、制御部と、通信部と、を備えるサーバとしてコンピュータを機能させるためのプログラムであって、上記制御部に、端末に出力する表示用オブジェクトを１又は複数選択する処理と、選択した各表示用オブジェクトが示すコンテンツのコピーライトに関する文字列を特定する処理と、上記特定した文字列に関連する文字列をデータベースから抽出する処理と、上記通信部を介して、上記抽出した文字列を含むコピーライト情報を上記端末に出力する処理と、を実行させる。【００１１】
上記の課題を解決するために、本発明の一態様に係る表示システムは、表示装置と、サーバと、を備える表示システムであって、上記サーバが、サーバ制御部と、サーバ通信部とを備え、上記サーバ制御部が、上記表示装置から、上記サーバ通信部を介して、表示用オブジェクトの出力の要求を受け付け、上記表示装置に出力する表示用オブジェクトを１又は複数選択し、選択した１又は複数の表示用オブジェクトを、上記サーバ通信部を介して上記表示装置に出力し、上記表示装置から、上記サーバ通信部を介して、コピーライト情報の出力の要求を受け付け、選択した各表示用オブジェクトが示すコンテンツのコピーライトに関する文字列を特定し、上記特定した文字列に関連する文字列をデータベースから抽出し、上記抽出した文字列を含むコピーライト情報を上記端末に出力し、上記表示装置は、表示装置制御部と、表示装置通信部と、表示部とを備え、上記表示装置制御部が、上記表示装置通信部を介して、上記サーバに対して表示用オブジェクトの出力を要求し、上記表示装置通信部を介して、上記サーバから、表示用オブジェクトを取得し、上記表示装置通信部を介して、上記サーバに対して、コピーライト情報を要求し、上記表示装置通信部を介して、上記コピーライト情報を取得し、取得した上記コピーライト情報を含む画像を表示部に表示する。
【発明の効果】
【００１２】
本発明の一態様によれば、コンテンツのコピーライトに関する情報を適切に表示することができる。
【図面の簡単な説明】
【００１３】
【図１】本発明の実施形態１に係る表示システムの要部構成を示すブロック図である。
【図２】本発明の実施形態１におけるカードの構成を示す図である。
【図３】本発明の実施形態１に係るメタデータの構成例を示す図である。
【図４】本発明の実施形態１に係る表示システムの処理を示すフローチャートである。
【図５】本発明の実施形態１における表示装置が表示する画像の例を示す図である。
【図６】本発明の実施形態１に係るコピーライトの表示画像の例を示す図である。
【図７】本発明の実施形態２に係る表示システムの処理を示すフローチャートである。
【図８】表示情報管理サーバ、メタデータ管理サーバ、ＳＴＢ、および表示装置として利用可能なコンピュータのハードウェア構成を例示したブロック図である。
【発明を実施するための形態】
【００１４】
〔実施形態１〕
以下、本発明の実施形態１について、詳細に説明する。
【００１５】
（表示システム１）
図１は、本実施形態に係る表示システム１の要部構成を示すブロック図である。表示システム１は、図１に示すように、表示情報管理サーバ（サーバ）１０、メタデータ管理サーバ３０、セットトップボックス４０（以下、「ＳＴＢ４０」と称する）、および表示装置（端末）６０を備えている。表示システム１では、表示情報管理サーバ１０、メタデータ管理サーバ３０、およびＳＴＢ４０は、ネットワーク２を介して通信可能に接続されている。また、ＳＴＢ４０および表示装置６０は、通信可能に接続されている。なお、ＳＴＢ４０は、表示装置６０に含まれる構成であってもよい。
【００１６】
表示システム１では、表示情報管理サーバ１０は、コンテンツを受信するためのカード（表示用オブジェクト）を示すカード情報をＳＴＢ４０に出力し、ＳＴＢ４０に接続されている表示装置６０は当該カードを表示する。ユーザは表示装置６０に表示されたカードを選択することにより、選択したカードに関連付けられたコンテンツを視聴することができる。本明細書では、コンテンツとして、サーバが配信する動画およびＳＴＢ４０または表示装置６０が受信する放送波に含まれる放送番組を用いて説明するが、これに限定されない。
【００１７】
また、表示システム１では、表示情報管理サーバ１０は、ＳＴＢ４０に出力したカード情報が示すカードに関連付けられたコンテンツのコピーライトに関する情報を、ＳＴＢ４０に対して出力する。コンテンツのコピーライトに関する情報の例として、コピーライトの所有者名を表す文字列であるコピーライト文字列が挙げられる。
【００１８】
（表示情報管理サーバ１０）
表示情報管理サーバ１０は、図１に示すように、表示情報管理サーバ通信部（通信部、サーバ通信部）１２、表示情報管理サーバ制御部（制御部、サーバ制御部）１４、カード情報記憶部１６、およびコピーライト文字列記憶部（データベース）１８を備えている。表示情報管理サーバ１０は、カード情報記憶部１６に格納されているカード情報およびコピーライト文字列記憶部１８に格納されているコピーライト文字列を管理するサーバである。
【００１９】
表示情報管理サーバ通信部１２は、外部の装置とネットワーク２を介して通信するための通信インターフェースである。
【００２０】
表示情報管理サーバ制御部１４は、表示情報管理サーバ１０の各構成を統括的に制御する機能を備えている演算装置である。表示情報管理サーバ制御部１４の詳細については、後述する。
【００２１】
カード情報記憶部１６には、カードを示す情報であるカード情報が格納されている。
【００２２】
コピーライト文字列記憶部１８は、コピーライト文字列が格納されている。コピーライト文字列記憶部１８に格納されるコピーライト文字列は、表示情報管理サーバ１０を管理する事業者が更新する構成であってもよいし、コンテンツを配信する事業者が更新する構成であってもよい。
【００２３】
（表示情報管理サーバ制御部１４）
表示情報管理サーバ制御部１４は、カード情報要求受付部２０、カード情報出力部２１、メタデータ取得部２３、カード情報生成部２４、コピーライト文字列要求受付部２６、およびコピーライト文字列管理部２７を備えている。なお、表示情報管理サーバ制御部１４が実行する処理については、参照する図面を替えて説明する。
【００２４】
カード情報要求受付部２０は、カード情報の出力の要求であるカード情報要求を受け付ける。
【００２５】
カード情報出力部２１は、カード情報要求に従ってカード情報を出力する。
【００２６】
メタデータ取得部２３は、コンテンツに関する情報であるメタデータを取得する。メタデーには、コンテンツのコピーライトに関する文字列、コンテンツの提供期間、提供者、タイトル名等が含まれている。
【００２７】
カード情報生成部２４は、メタデータを参照してカード情報を生成する。
【００２８】
コピーライト文字列要求受付部２６は、コピーライト文字列の出力の要求であるコピーライト文字列要求を受け付ける。
【００２９】
コピーライト文字列管理部２７は、コピーライト文字列を管理する。
【００３０】
（メタデータ管理サーバ３０）
メタデータ管理サーバ３０は、図１に示すように、メタデータ管理サーバ通信部３２、メタデータ管理サーバ制御部３４、およびメタデータ管理サーバ記憶部３６を備えている。メタデータ管理サーバ３０は、メタデータを管理する機能を備えている。
【００３１】
メタデータ管理サーバ通信部３２は、外部の装置とネットワーク２を介して通信するための通信インターフェースである。
【００３２】
メタデータ管理サーバ制御部３４は、メタデータ管理サーバ３０の各構成を統括的に制御する機能を備える演算装置である。
【００３３】
メタデータ管理サーバ記憶部３６には、メタデータが格納されている。
【００３４】
（ＳＴＢ４０）
ＳＴＢ４０は、図１に示すように、第１のＳＴＢ通信部４２、第２のＳＴＢ通信部４４、ＳＴＢ制御部４６、および操作受付部４８を備えている。ＳＴＢ４０は、表示情報管理サーバ１０にカード情報を要求し、カード情報を取得する。そして、取得したカード情報が示すカードを含む画像を表示装置６０に出力し、表示装置６０にカードを表示させる。
【００３５】
第１のＳＴＢ通信部４２は、外部の装置とネットワーク２を介して通信するための通信インターフェースである。
【００３６】
第２のＳＴＢ通信部４４は、外部の装置と通信するための通信インターフェースである。
【００３７】
ＳＴＢ制御部４６は、ＳＴＢ４０の各構成を統括的に制御する機能を備えている演算装置である。
【００３８】
操作受付部４８は、ユーザの操作を受け付け、受け付けた操作を示す操作信号を出力する。
【００３９】
（表示装置６０）
表示装置６０は、図１に示すように、表示装置通信部６２、表示制御部（表示装置制御部）６４、および表示部６６を備えている。表示装置６０は、取得した画像を表示する装置である。
【００４０】
表示装置通信部６２は、外部の装置と通信するための通信インターフェースである。
【００４１】
表示制御部６４は、表示装置６０の各構成を統括的に制御する機能を備えている演算装置である。
【００４２】
表示部６６は、画像を表示することができるディスプレイデバイスである。
【００４３】
（カードの構成）
図２は、本発明の実施形態１におけるカードの構成を示す図である。図２の（ａ）は、カードの構成の一例であり、（ｂ）は、カードの構成の他の例である。ＳＴＢ４０が表示装置６０に表示させるカードの構成について、図７を用いて説明する。
【００４４】
図２に示すように、ＳＴＢ４０は、カードの各領域に関連付けられたタグのそれぞれに、カード情報に含まれる情報を付加したカードを、表示装置６０に表示させる。図２の（ａ）に示すカード１００の例では、カードタイトル１１０、Ｔｅｘｔタグ１２０、ｉｍａｇｅタグ１３０、Ｔｅｘｔ２タグ１４０、Ｔｅｘｔ３タグ１５０、およびｉｃｏｎタグ１６０がカード１００に含まれている。
【００４５】
カードタイトル１１０には、カード情報に含まれるタイトル名が表示される。Ｔｅｘｔタグ１２０、Ｔｅｘｔ２タグ１４０、およびＴｅｘｔ３タグ１５０にはそれぞれカード情報に含まれるメタデータが表示される。例えば、Ｔｅｘｔ２タグ１２０に再生時間、Ｔｅｘｔ２タグ１４０に価格、Ｔｅｘｔ３タグ１５０に制作会社が表示される。ｉｍａｇｅタグ１３０には、カード情報に含まれるサムネイルが表示される。ｉｃｏｎタグ１６０には、カード情報に含まれるアイコンの画像が表示される。
【００４６】
このように、表示システム１では、表示装置６０に表示されるカードには、カード情報に含まれるメタデータが含まれている。そのため、表示システム１では、コンテンツの様々な情報を含むカードを提示することができるため、ユーザに対して、ユーザが所望するコンテンツを選択させることができる。
【００４７】
また、カード情報にサムネイルが含まれない場合は、図７の（ｂ）に示すカード１０１が表示されてもよい。図７の（ｂ）に示すように、カード１０１には、カードタイトル１１０、Ｔｅｘｔタグ１２０、Ｔｅｘｔ２タグ１４０、Ｔｅｘｔ３タグ１５０、およびｉｃｏｎタグ１６０が含まれている。
【００４８】
このように、表示システム１では、表示装置６０に表示されるカードにサムネイル画像が含まれていない場合であっても、コンテンツの様々な情報を含むカードを提示することができるため、ユーザに対して、ユーザが所望するコンテンツを選択させることができる。
【００４９】
（メタデータの構成例）
図３は、本実施形態に係るコンテンツのメタデータの構成例を示す図である。図３の（ａ）は、メタデータmetaData（第１のメタデータ）のデータ定義文を示す図である。図３の（ａ）に示すように、メタデータmetaDataには、startTime、endTime、publisherId、およびtitleIdが含まれている。
【００５０】
startTimeは、コンテンツの提供開始日時を示す。
【００５１】
endTimeは、コンテンツの提供終了日時を示す。
【００５２】
換言すると、startTime、およびendTimeは、コンテンツの提供期間を示しており、所定の日時にコンテンツが提供中か否かを判断可能なデータである。
【００５３】
publisherIdは、コンテンツの提供者を識別するための識別情報を示す。
【００５４】
titleIdは、コンテンツのタイトルを識別するための識別情報を示す。
【００５５】
図３（ｂ）は、メタデータtitle（第２のメタデータ）のデータ定義文を示す図である。図３（ｂ）に示すように、メタデータtitleには、titleIdおよびcopyrightSentenceが含まれている。
【００５６】
titleIdは、コンテンツのタイトルを識別するための識別情報を示す。
【００５７】
copyrightSentenceは、コンテンツのコピーライトの所有者に関する文字列を示す。コピーライトの所有者に関する文字列とは、コピーライトの所有者名を表す文字列であるコピーライト文字列とは異なり、例えば、コピーライト文字列の一部の文字列を含む文字列が挙げられる。例えば、コピーライトの所有者名を表す文字列が「ＡＢＣ２０００」であった場合、コピーライトの所有者に関する文字列の例として、「ＡＢＣ」、「２０００」、「ａｂｃ」「ABC」、「エービーシー」、「にいぜろ」などが挙げられる。
【００５８】
（表示システム１の処理）
図４は、本実施形態に係る表示システム１の処理を示すフローチャートである。
【００５９】
まず、メタデータ管理サーバ３０は、メタデータを表示情報管理サーバ１０に出力する（Ｓ４０２）。詳細には、メタデータ管理サーバ制御部３４が、メタデータ管理サーバ記憶部３６からメタデータを取得し、取得したメタデータを、メタデータ管理サーバ通信部３２を介して表示情報管理サーバ１０に送信する。メタデータ管理サーバ制御部３４がメタデータを取得するタイミングとしては、メタデータ管理サーバ記憶部３６に格納されているメタデータが更新されたとき、所定の時間が経過したとき、などが挙げられる。
【００６０】
次に、表示情報管理サーバ１０のメタデータ取得部２３は、表示情報管理サーバ通信部１２を介してメタデータを取得する（Ｓ４０４）。そして、カード情報生成部２４は、メタデータ取得部２３が取得したメタデータを参照し、カード情報を生成する（Ｓ４０６）。
【００６１】
ＳＴＢ４０の操作受付部４８は、カード情報の表示を指示する旨を示す操作を受け付けると、ＳＴＢ制御部４６は、第１のＳＴＢ通信部４２を介して、表示情報管理サーバ１０にカード情報を要求する（Ｓ４１０）。
【００６２】
表示情報管理サーバ１０のカード情報要求受付部２０は、表示情報管理サーバ通信部１２を介して、ＳＴＢ４０からカード情報要求を受け付ける（Ｓ４１２）。カード情報要求受付部２０がカード情報要求を受け付けると、カード情報出力部２１は、カード情報記憶部１６から、１又は複数のカードを示すカード情報を選択し、表示情報管理サーバ通信部１２を介して、ＳＴＢ４０に選択したカード情報を出力する（Ｓ４１４：表示用オブジェクト選択ステップ）。なお、カード情報出力部２１がカード情報を選択する方法は特に限定されないが、例えば、図３に示すメタデータがカード情報に含まれる場合、カード情報出力部２１は、メタデータmetaDataのstartTime、およびendTimeを参照し、提供可能なコンテンツに対応するカード情報を選択する方法が挙げられる。
【００６３】
ＳＴＢ４０のＳＴＢ制御部４６は、第１のＳＴＢ通信部４２を介して、表示情報管理サーバ１０からカード情報を取得する（Ｓ４１６）。そして、ＳＴＢ制御部４６は、取得したカード情報が示すカードを含む画像を、第２のＳＴＢ通信部４４を介して表示装置６０に出力する（Ｓ４１８）。
【００６４】
表示装置６０において、表示制御部６４は、表示装置通信部６２を介して、カード情報が示すカードを含む画像を取得する（Ｓ４２０）。そして、表示制御部６４は、取得した画像を表示部６６に表示させる（Ｓ４２２）。
【００６５】
ＳＴＢ４０の操作受付部４８は、コピーライト文字列を表示する旨の操作を受け付けると（例えば、後述する図５のコピーライトアイコン２２０をクリックする操作を受け付けると）、ＳＴＢ制御部４６は、第１のＳＴＢ通信部４２を介して、表示情報管理サーバ１０にコピーライト文字列を要求する（Ｓ４２４）。
【００６６】
表示情報管理サーバ１０のコピーライト文字列要求受付部２６は、表示情報管理サーバ通信部１２を介して、ＳＴＢ４０からのコピーライト文字列要求を受け付ける（Ｓ４２６）。コピーライト文字列要求受付部２６がコピーライト文字列要求を受け付けると、コピーライト文字列管理部２７は、ステップＳ４１４においてカード情報出力部２１が選択したカード情報に対応するコンテンツのコピーライトに関する文字列を特定する（文字列特定ステップ）。そして、コピーライト文字列管理部２７は、特定した文字列に関連する文字列を、コピーライト文字列記憶部１８からコピーライト文字列を抽出する（Ｓ４２８：文字列抽出ステップ）。
【００６７】
例えば、図３に示すメタデータがカード情報に含まれる場合、コピーライト文字列管理部２７は、メタデータmetaDataに含まれるtitleIdを取得し、メタデータtitleから、取得したtitleIdに合致するtitleIdを含むメタデータtitleを抽出する。
【００６８】
そして、コピーライト文字列管理部２７は、抽出したメタデータtitleに含まれるcopyrightSentenceを取得し、コピーライト文字列記憶部１８から、取得したcopyrightSentenceの文字列に関するコピーライト文字列を検索する。この場合、コピーライト文字列管理部２７は、表記のゆれ（英字の大文字、小文字、カタカナ表記、年号の有無、等）を含む文字列を検索する。
【００６９】
なお、コピーライト文字列管理部２７は、抽出したコピーライト文字列が重複していた場合、１のコピーライト文字列を残して、その他のコピーライト文字列を削除してもよい。
【００７０】
続いて、コピーライト文字列管理部２７は、抽出したコピーライト文字列（コピーライト情報）を、表示情報管理サーバ通信部１２を介して、ＳＴＢ４０に出力する（Ｓ４３０：コピーライト情報出力ステップ）。
【００７１】
ＳＴＢ４０のＳＴＢ制御部４６は、第１のＳＴＢ通信部４２を介して、表示情報管理サーバ１０からコピーライト文字列を取得する（Ｓ４３２）。そして、ＳＴＢ制御部４６は、取得したコピーライト文字列を含む画像を、第２のＳＴＢ通信部４４を介して表示装置６０に出力する（Ｓ４３４）。
【００７２】
表示装置６０において、表示制御部６４は、表示装置通信部６２を介して、コピーライト文字列を含む画像を取得する（Ｓ４３６）。そして、表示制御部６４は、取得した画像を表示部６６に表示させる（Ｓ４３８）。
【００７３】
このように、本実施形態における表示システム１では、表示情報管理サーバ１０のコピーライト文字列記憶部１８に格納されているコピーライト文字列のうち、ＳＴＢ４０が取得したカード情報に対応するコンテンツのコピーライトに関するコピーライト文字列を、表示情報管理サーバ１０はＳＴＢ４０に出力する。そのため、表示情報管理サーバ１０は、ＳＴＢ４０が取得したカード情報に対応しないコンテンツのコピーライト文字列はＳＴＢ４０に出力しないため、コンテンツのコピーライトに関する情報を適切に提供することができる。
【００７４】
（カードの例）
図５は、本発明の実施形態１における表示装置６０が表示する画像２００の例を示す図である。ＳＴＢ４０が表示装置６０に表示させるカードの例について、図５を用いて説明する。
【００７５】
ＳＴＢ４０は、図５に示すように、コンテンツごとのカードを表示装置６０に表示させる。図５に示す例では、カード２１０、カード２１１、カード２１２、およびカード２１３である。カード２１０〜２１３はそれぞれ、コンテンツ名、サムネイル画像、再生時間、および価格が含まれている。
【００７６】
ＳＴＢ４０は、画像２００に含まれるカードを選択する旨の操作を受け付けると、当該カードを示すカード情報に含まれるＵＲＬが示す接続先に接続する。そして、ＳＴＢ４０は、接続先からコンテンツを取得し、表示装置６０に当該コンテンツを表示させる。なお、ＳＴＢ４０は、表示装置６０に対して、ＵＲＬに接続するよう命令する構成であってもよい。
【００７７】
このように、表示システム１では、表示装置６０に表示されるカードには、コンテンツに関する情報であるコンテンツ名、サムネイル画像、再生時間、および価格といった情報が含まれる。そのため、表示システム１では、ユーザに対して、ユーザが所望するコンテンツを選択させることができる。
【００７８】
また、画像２００には、図５に示すように、コピーライトアイコン２２０が含まれている。コピーライトアイコン２２０は、表示されているカードに係るコンテンツ、および、表示されていないが、推薦候補であるコンテンツすべてのコピーライトを表示するためのアイコンである。
【００７９】
（コピーライト文字列を含む画像）
図６は、本実施形態に係るコピーライト文字列を含む画像の例を示す図である。図６に示すように、Ｓ４１８で出力されたカード情報に対応するコンテンツに関連するコピーライト文字列の一覧が表示される。
【００８０】
〔実施形態２〕
本発明の実施形態２について説明する。本実施形態では、ＳＴＢ４０は、表示情報管理サーバ１０からカード情報とコピーライト文字列とを取得し、コピーライト文字列を表示する旨の操作を受け付けると、表示情報管理サーバ１０にコピーライト文字列を要求することなく、コピーライト文字列を表示装置６０に出力する構成について説明する。
【００８１】
図７は、本実施形態に係る表示システム１の処理を示すフローチャートである。なお、実施形態１に係る表示システム１の処理の説明と重複する内容は、簡単に記載、又は、省略する。
【００８２】
まず、メタデータ管理サーバ３０は、メタデータを表示情報管理サーバ１０に出力する（Ｓ７０２）。詳細には、メタデータ管理サーバ制御部３４が、メタデータ管理サーバ記憶部３６からメタデータを取得し、取得したメタデータを、メタデータ管理サーバ通信部３２を介して表示情報管理サーバ１０に送信する。メタデータ管理サーバ制御部３４がメタデータを取得するタイミングとしては、メタデータ管理サーバ記憶部３６に格納されているメタデータが更新されたとき、所定の時間が経過したとき、などが挙げられる。
【００８３】
次に、表示情報管理サーバ１０のメタデータ取得部２３は、表示情報管理サーバ通信部１２を介してメタデータを取得する（Ｓ７０４）。そして、カード情報生成部２４は、メタデータ取得部２３が取得したメタデータを参照し、カード情報を生成する（Ｓ７０６）。
【００８４】
ＳＴＢ４０の操作受付部４８は、カード情報の表示を指示する旨を示す操作を受け付けると、ＳＴＢ制御部４６は、第１のＳＴＢ通信部４２を介して、表示情報管理サーバ１０にカード情報を要求する（Ｓ７１０）。
【００８５】
表示情報管理サーバ１０のカード情報要求受付部２０は、表示情報管理サーバ通信部１２を介して、ＳＴＢ４０からカード情報要求を受け付ける（Ｓ７１２）。カード情報要求受付部２０がカード情報要求を受け付けると、カード情報出力部２１は、カード情報記憶部１６から、１又は複数のカードを示すカード情報を選択する。また、コピーライト文字列管理部２７は、カード情報出力部２１が選択したカード情報に対応するコンテンツのコピーライトに関する文字列を特定する。そして、コピーライト文字列管理部２７は、特定した文字列に関連する文字列を、コピーライト文字列記憶部１８からコピーライト文字列を抽出する（Ｓ７１４）。
【００８６】
カード情報出力部２１は、選択したカード情報および抽出したコピーライト文字列（コピーライト情報）を、表示情報管理サーバ通信部１２を介して、ＳＴＢ４０に出力する（Ｓ７１６）。
【００８７】
ＳＴＢ４０のＳＴＢ制御部４６は、第１のＳＴＢ通信部４２を介して、表示情報管理サーバ１０からカード情報およびコピーライト文字列を取得する（Ｓ７１８）。そして、ＳＴＢ制御部４６は、取得したカード情報が示すカードを含む画像を、第２のＳＴＢ通信部４４を介して表示装置６０に出力する（Ｓ７２０）。
【００８８】
表示装置６０において、表示制御部６４は、表示装置通信部６２を介して、カード情報が示すカードを含む画像を取得する（Ｓ７２２）。そして、表示制御部６４は、取得した画像を表示部６６に表示させる（Ｓ７２４）。
【００８９】
ＳＴＢ４０の操作受付部４８は、コピーライト文字列を表示する旨の操作を受け付ける（Ｓ７２６）。ＳＴＢ制御部４６は、Ｓ７１８で取得したコピーライト文字列を含む画像を、第２のＳＴＢ通信部４４を介して表示装置６０に出力する（Ｓ７２８）。
【００９０】
表示装置６０において、表示制御部６４は、表示装置通信部６２を介して、コピーライト文字列を含む画像を取得する（Ｓ７３０）。そして、表示制御部６４は、取得した画像を表示部６６に表示させる（Ｓ７３２）。
【００９１】
このように、本実施形態における表示システム１では、表示情報管理サーバ１０は、カード情報とともに、コピーライト文字列をＳＴＢ４０に出力する。そのため、ＳＴＢ４０がコピーライト文字列を表示する旨の操作を受け付けても、表示情報管理サーバ１０との通信は発生しないため、表示情報管理サーバ１０とＳＴＢ４０との通信回数を少なくすることができる。
【００９２】
〔実施形態３〕
表示情報管理サーバ１０、メタデータ管理サーバ３０、ＳＴＢ４０、および表示装置６０の制御ブロック（特に、表示情報管理サーバ制御部１４、メタデータ管理サーバ制御部３４、ＳＴＢ制御部４６、および表示制御部６４）は、集積回路（ＩＣチップ）等に形成された論理回路（ハードウェア）によって実現してもよいし、ＣＰＵ（Central Processing Unit）を用いてソフトウェアによって実現してもよい。
【００９３】
後者の場合、表示情報管理サーバ１０、メタデータ管理サーバ３０、ＳＴＢ４０、および表示装置６０は、各機能を実現するソフトウェアであるプログラムの命令を実行するＣＰＵ、上記プログラムおよび各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００９４】
〔実施形態４〕
上記各実施形態では、複数のサーバ（表示情報管理サーバ１０、およびメタデータ管理サーバ３０）を用いる例を説明したが、複数のサーバの有する各機能が、１つのサーバにて実現されていてもよいし、さらに多くのサーバによって実現されていてもよい。また、複数のサーバを適用する場合においては、各サーバは、同じ事業者によって管理されていてもよいし、異なる事業者によって管理されていてもよい。
【００９５】
〔実施形態５〕
表示情報管理サーバ１０、メタデータ管理サーバ３０、ＳＴＢ４０、および表示装置６０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、表示情報管理サーバ１０、メタデータ管理サーバ３０、ＳＴＢ４０、および表示装置６０のそれぞれを、図８に示すようなコンピュータ（電子計算機）を用いて構成することができる。
【００９６】
図８は、表示情報管理サーバ１０、メタデータ管理サーバ３０、ＳＴＢ４０、および表示装置６０として利用可能なコンピュータ９１０のハードウェア構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【００９７】
補助記憶装置９１４には、コンピュータ９１０を表示情報管理サーバ１０、メタデータ管理サーバ３０、ＳＴＢ４０、および表示装置６０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、表示情報管理サーバ１０、メタデータ管理サーバ３０、ＳＴＢ４０、および表示装置６０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【００９８】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【００９９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１００】
１  表示システム
１０  表示情報管理サーバ（サーバ）
１２  表示情報管理サーバ通信部（通信部、サーバ通信部）
１４  表示情報管理サーバ制御部（制御部、サーバ制御部）
１８  コピーライト文字列記憶部（データベース）
６０  表示装置（端末）
６２  表示装置通信部
６４  表示制御部（表示装置制御部）
６６  表示部
１００  カード（表示用オブジェクト）
【図１】
2017179276.tif 000003
【図２】
2017179276.tif 000004
【図３】
2017179276.tif 000005
【図４】
2017179276.tif 000006
【図５】
2017179276.tif 000007
【図６】
2017179276.tif 000008
【図７】
2017179276.tif 000009
【図８】
2017179276.tif 000010
【手続補正書】
【提出日】平成29年6月13日(2017.6.13)
【手続補正１】
【補正対象書類名】特許請求の範囲
【補正対象項目名】全文
【補正方法】変更
【補正の内容】
【特許請求の範囲】
【請求項１】
制御部と、通信部と、を備えるサーバであって、
上記制御部は、
端末に出力する表示用オブジェクトを１又は複数選択し、
選択した各表示用オブジェクトが示すコンテンツのコピーライト文字列に関する文字列を特定し、
上記特定した文字列に関連する文字列をデータベースから抽出し、
上記抽出した文字列を示すコピーライト情報を上記端末に出力する、
ことを特徴とするサーバ。
【請求項２】
上記制御部は、
上記コピーライト情報と共に、上記表示用オブジェクトを上記端末に出力する、
ことを特徴とする請求項１に記載のサーバ。
【請求項３】
上記制御部は、
提供可能なコンテンツを特定し、
特定した提供可能なコンテンツのコピーライト文字列に関する文字列を特定する、
ことを特徴とする請求項１又は２に記載のサーバ。
【請求項４】
上記制御部は、
上記特定した文字列の表記ゆれを含む文字列を上記データベースから抽出する、
ことを特徴とする請求項１又は２に記載のサーバ。
【請求項５】
端末に出力する表示用オブジェクトを１又は複数選択する表示用オブジェクト選択ステップと、
選択した各表示用オブジェクトが示すコンテンツのコピーライト文字列に関する文字列を特定する文字列特定ステップと、
上記特定した文字列に関連する文字列をデータベースから抽出する文字列抽出ステップと、
上記抽出した文字列を示すコピーライト情報を上記端末に出力するコピーライト情報出力ステップと、
を含むことを特徴とする出力方法。
【請求項６】
制御部と、通信部と、を備えるサーバとしてコンピュータを機能させるためのプログラムであって、上記制御部に、
端末に出力する表示用オブジェクトを１又は複数選択する処理と、
選択した各表示用オブジェクトが示すコンテンツのコピーライト文字列に関する文字列を特定する処理と、
上記特定した文字列に関連する文字列をデータベースから抽出する処理と、
上記通信部を介して、上記抽出した文字列を示すコピーライト情報を上記端末に出力する処理と、
を実行させることを特徴とするプログラム。
【請求項７】
表示装置と、サーバと、を備える表示システムであって、
上記サーバは、サーバ制御部と、サーバ通信部とを備え、
上記サーバ制御部は、
上記表示装置から、上記サーバ通信部を介して、表示用オブジェクトの出力の要求を受け付け、
上記表示装置に出力する表示用オブジェクトを１又は複数選択し、
選択した１又は複数の表示用オブジェクトを、上記サーバ通信部を介して上記表示装置に出力し、
上記表示装置から、上記サーバ通信部を介して、コピーライト情報の出力の要求を受け付け、
選択した各表示用オブジェクトが示すコンテンツのコピーライト文字列に関する文字列を特定し、
上記特定した文字列に関連する文字列をデータベースから抽出し、
上記抽出した文字列を示すコピーライト情報を上記表示装置に出力し、
上記表示装置は、表示装置制御部と、表示装置通信部と、表示部とを備え、
上記表示装置制御部は、
上記表示装置通信部を介して、上記サーバに対して表示用オブジェクトの出力を要求し、
上記表示装置通信部を介して、上記サーバから、表示用オブジェクトを取得し、
上記表示装置通信部を介して、上記サーバに対して、コピーライト情報を要求し、
上記表示装置通信部を介して、上記コピーライト情報を取得し、
取得した上記コピーライト情報を含む画像を表示部に表示する、
ことを特徴とする表示システム。
【請求項８】
上記制御部は、上記抽出した文字列が重複していた場合、１の文字列を残して、その他の文字列を削除する、
ことを特徴とする請求項１から４の何れか１項に記載のサーバ。
【国際調査報告】
2017179276.tif 000011
2017179276.tif 000012
2017179276.tif 000013
2017179276.tif 000014